【手続補正書】
【提出日】平成27年6月5日(2015.6.5)
【手続補正１】
【補正対象書類名】明細書
【補正対象項目名】発明の名称
【補正方法】変更
【補正の内容】
【発明の名称】挿入デバイス、前記挿入デバイスを備えるキット、および前記挿入デバイスまたは前記キットを使用する方法
【手続補正２】
【補正対象書類名】特許請求の範囲
【補正対象項目名】全文
【補正方法】変更
【補正の内容】
【特許請求の範囲】
【請求項１】
近位端、遠位端、および前記近位端と前記遠位端との間で延びるルーメンを有する長尺シースと、
近位端、および前記長尺シースの前記ルーメン内に配設可能である遠位端を有する長尺内側部材と、
近位端側に配置されるユーザインタフェースであって、前記近位端側に配置される前記ユーザインタフェースが、前記ユーザインタフェースの長さの少なくとも一部分に沿って前記ユーザインタフェースの少なくとも一部に形成される１つ以上の長尺ガイドを更に備える、ユーザインタフェースと、
前記長尺シースと通ずる可動シーススライダであって、前記可動シーススライダが前記長尺ガイド内で確実に移動するように適合可能でかつ構成可能であり、更に、前記可動シーススライダが前記長尺シースの軸方向移動を制御する、可動シーススライダと
を備え、
前記長尺ガイドが、前記長尺ガイドの長さに沿って１つ以上の動作制御特徴部を更に備え、
前記長尺ガイドの前記１つ以上の動作制御特徴部が、前記可動シーススライダに加えられる力の大きさを制限するように構成可能な少なくとも１つの力制限特徴部を備える、挿入デバイス。
【請求項２】
近位端、遠位端、および前記近位端と前記遠位端との間で延びるルーメンを有する長尺シースと、
近位端、および前記長尺シースの前記ルーメンの少なくとも一部分内に配設可能である遠位端を有する長尺内側部材と、
近位端側に配置されるユーザインタフェースと、
前記長尺シースと通じて前記近位端側に配置されるユーザインタフェースと関連付けられる作動可能シース制御ボタンであって、前記作動可能シース制御ボタンが前記長尺シースの軸方向移動を制御するように適合可能でかつ構成可能であり、前記長尺シースがハウジングから遠位端側に延び、前記シース制御ボタンが作動されると、前記シース制御ボタンが前記長尺シースを近位端側に引き込ませる、作動可能シース制御ボタンと、
長尺ガイド、および前記長尺ガイドの長さに沿う１つ以上の動作制御特徴部と
を備え、
前記１つ以上の動作制御特徴部が、可動シーススライダに加えられる力の大きさを制限するように構成可能な少なくとも１つの力制限特徴部を備える、挿入デバイス。
【請求項３】
前記１つ以上の動作制御特徴部が、硬質動作制御特徴部および柔軟動作制御特徴部よりなる群から選択されること、または、
前記１つ以上の動作制御特徴部が、戻り止め、切り欠き、溝、突起、タブ、隆起、フランジ、フラップ、ゲート、可撓性部材、長尺ガイド輪郭、および、長尺ガイド湾曲面よりなる群から選択されることを特徴とする、請求項１または２に記載の挿入デバイス。
【請求項４】
前記長尺ガイドが、長さ、幅、および、深さを有し、更に、前記長尺ガイドの幅が、該幅に沿う可変長と、第１の幅および第２の幅のうちの２つ以上から選択される段階的な幅との少なくとも一方であること、
前記長尺ガイドが、長方形、Ｓ形状、Ｃ形状、Ｕ形状、Ｗ形状、円、半円、および、楕円から選択される面内形状を有すること、または、
前記長尺ガイドが、前記長尺ガイドの近位端および前記長尺ガイドの遠位端のうちの１つ以上に１つ以上のキャビティを更に備え、前記１つ以上のキャビティが前記可動シーススライダの少なくとも一部分を収容するように適合されて構成されることを特徴とする、請求項１または２に記載の挿入デバイス。
【請求項５】
前記シーススライダが、前記１つ以上の動作制御特徴部を機械的に補完するように適合されて構成される１つ以上の表面形状を備えること、更に随意的に、前記シーススライダの前記１つ以上の表面形状が、非平面、湾曲面、および、角度を成す面のそれぞれのうちの１つ以上よりなる群から選択されることを特徴とする、請求項３に記載の挿入デバイス。
【請求項６】
ハウジングおよび前記シーススライダが１つ以上の位置合わせ面を更に備え、前記ハウジングの前記１つ以上の位置合わせ面が、前記シースの前記１つ以上の位置合わせ面を機械的に補完するように適合されて構成される、請求項１または２に記載の挿入デバイス。
【請求項７】
前記長尺ガイドの長さに沿う第１の位置で第１のシーススライダ位置合わせ面が第１のハウジング位置合わせ面と位置合わせすること、または、
前記１つ以上のシーススライダ位置合わせ面および前記１つ以上のハウジング位置合わせ面が、湾曲面、角度を成す面、傾斜面、および、寸法面よりなる群から選択されることを特徴とする、請求項６に記載の挿入デバイス。
【請求項８】
ストリング制御スライダを更に備え、
更に随意的に、前記ストリング制御スライダが、前記長尺ガイド内で確実に移動するように適合可能でかつ構成可能であることを特徴とする、請求項１または２に記載の挿入デバイス。
【請求項９】
長尺な前記シーススライダおよび前記ストリング制御スライダが、前記１つ以上の長尺ガイド内で同時および独立の少なくとも一方で動作するように適合されて構成されること、
前記シーススライダおよび前記ストリング制御スライダが、前記長尺ガイドの少なくとも第１の部分に沿って伸縮移動でき、更に、前記シーススライダおよび前記ストリング制御スライダが、前記シーススライダおよび前記ストリング制御スライダのうちの少なくとも一方が残りのスライダを部分的に取り囲むように構成可能であること、
前記シーススライダおよび前記ストリング制御スライダが１つ以上の垂直面を備えるように更に構成可能であり、前記１つ以上の垂直面が、第１のシーススライダ垂直面、第２のシーススライダ垂直面、第１のストリング制御スライダ垂直面、および、第２のストリング制御垂直面よりなる群から選択され、前記垂直面のうちの１つ以上が、前記長尺ガイドの長さに沿う１つ以上の位置に位置合わせされる隣接面を形成するように構成されること、または、
前記シーススライダおよび前記ストリング制御スライダが、０．７５インチ（１９ｍｍ）、０．７インチ（１７．８ｍｍ）、０．５インチ（１２．７ｍｍ）、０．３５インチ（８．９ｍｍ）、０．２５インチ（６．３ｍｍ）のうちの少なくとも１つ以下の組み合わせ幅を有することを特徴とする、請求項１または２に記載の挿入デバイス。
【請求項１０】
前記挿入デバイスが、前記長尺シースの前記ルーメンの遠位端内にＩＵＤを受けるように構成可能であるとともに、前記ＩＵＤの１つ以上のストリング構成要素を固定するように適合可能でかつ構成可能な少なくとも１つのストリングロック特徴部を更に備える、請求項１または２に記載の挿入デバイス。
【請求項１１】
前記少なくとも１つのストリングロック特徴部が、裂け目、クランプ、楔、挟持体、スプリング、または、歯のうちの１つ以上を備えること、更に随意的に、前記ストリングロック特徴部が裂け目を備え、ストリングロック解除特徴部が、前記１つ以上のストリングを前記裂け目から押し出して前記１つ以上のストリングのロックを解除する可動部材を備えることを特徴とする、請求項１０に記載の挿入デバイス。
【請求項１２】
前記長尺シースの遠位端が、
丸みのあるチップおよび先細りのチップよりなる群から選択される非侵襲的チップを有すること、
約３ｍｍ〜５ｍｍの外径を有すること、
前記長尺シースの近位端の外径の８０％、５０％、３０％以下の外径を有すること、
前記長尺シースの前記ルーメン内に配置させることができるＩＵＤの最大断面寸法よりも小さい外径を有すること、および、
前記シースの前端に１つ以上のスリットまたはフラップを更に備えること
の少なくとも１つの特徴を有する、請求項１または２に記載の挿入デバイス。
【請求項１３】
聴覚的フィードバック機構、視覚的フィードバック機構、および、触覚的フィードバック機構よりなる群から選択される１つ以上のフィードバック機構を更に備える、請求項１または２に記載の挿入デバイス。
【請求項１４】
請求項１〜１３のいずれか一項に記載の挿入デバイスを備えるキットであって、
前記長尺シースの遠位端ルーメン内に配置させることができる子宮内デバイスを備える、キット。
【請求項１５】
請求項１〜１３のいずれか一項に記載の挿入デバイス、または請求項１４に記載のキットを使用する方法であって、
前記挿入デバイスを押し進めるステップと、
前記シーススライダを作動させるステップと、
前記長尺シースを近位端側に移動させること、および、ＩＵＤを遠位端側に押し進めること、のうちの少なくとも一方を行なうステップと、
前記ＩＵＤの直径を自動的にあるいは半自動的に増大させるステップと、
前記ＩＵＤを前記挿入デバイスから解放するステップと
を備える、方法。